(57)【要約】【課題】送信装置と受信装置との間の無線通信区間の速度が当該無線通信に至るまでの通信区間の通信速度に律速されることを回避又は抑制し、配信データをより短時間で送信すること。【解決手段】送信装置が、Ｎ個（Ｎは２以上の整数）の無線送信部と、当該Ｎ個の無線送信部にそれぞれ１対１で接続するＮ個の送信バッファと、を備え、無線送信部が無線リンクを確立する前に、配信データの少なくとも一部を、Ｎ個の送信バッファのそれぞれに格納しておき、無線送信部が受信装置と無線リンクを確立した後に、Ｎ個の無線送信部に対して、Ｎ個の送信バッファに格納された配信データの送信を指示する構成を採る。【選択図】図３
2019054381.tif 000002
【特許請求の範囲】
【請求項１】
受信装置と無線リンクを確立し、前記受信装置に配信データを送信するＮ個（Ｎは２以上の整数）の無線送信部と、
前記Ｎ個の無線送信部に、それぞれ、１対１で接続するＮ個の送信バッファと、
前記無線送信部が前記無線リンクを確立する前に、前記配信データの少なくとも一部を、前記Ｎ個の送信バッファのそれぞれに格納する分配制御部と、
前記無線送信部が前記無線リンクを確立した後に、前記Ｎ個の無線送信部に対して、前記Ｎ個の送信バッファに格納された前記配信データの送信を指示する送信制御部と、
を具備する送信装置。
【請求項２】
前記分配制御部は、
前記配信データの複製データを、前記Ｎ個の送信バッファに格納する、
請求項１に記載の送信装置。
【請求項３】
前記分配制御部は、
前記配信データを複数の分割データに分割し、
前記複数の分割データを、前記Ｎ個の送信バッファに格納する、
請求項１に記載の送信装置。
【請求項４】
前記分配制御部は、
前記配信データに対する前記各分割データの割合を、前記各送信バッファに係る無線リンクの通信速度に基づいて決定する、
請求項３に記載の送信装置。
【請求項５】
前記分配制御部は、
前記各送信バッファに格納された配信データに対して、他の送信バッファに格納された配信データの一部である重複データを付加する、
請求項３又は４に記載の送信装置。
【請求項６】
前記送信制御部は、
前記送信バッファに格納された前記配信データの少なくとも一部のうち、未重複の部分のデータを優先して送信するよう指示する、
請求項５に記載の送信装置。
【請求項７】
前記送信制御部は、
前記送信バッファに格納された前記配信データの少なくとも一部のうち、未送信の部分のデータを優先して送信するよう指示する、
請求項１から６の何れか１項に記載の送信装置。
【請求項８】
受信装置とＮ本（Ｎは２以上の整数）の無線リンクを確立して前記受信装置に配信データを送信する送信方法であって、
前記配信データの少なくとも一部を、Ｎ個の送信バッファのそれぞれに格納し、
前記Ｎ本の無線リンクを確立し、
前記Ｎ個の送信バッファのそれぞれに１対１で対応付けられた前記Ｎ本の無線リンクを通じて、前記Ｎ個の送信バッファに格納された前記配信データを送信する、
送信方法。
【発明の詳細な説明】
【技術分野】
【０００１】
本開示は、無線によるデータの送信装置及び送信方法に関する。
【背景技術】
【０００２】
近年、取り扱われる配信データのサイズは、益々増大している。例えば、航空機内で乗客が視聴する１つ以上のコンテンツに係る配信データの合計サイズは、約５００ＧＢである。現在は、当該配信データの更新を行うために、航空機が空港に停泊中に、作業員がＨＤＤ（Hard Disk Drive）を交換している。この配信データの更新を無線通信で実現することにより、作業員の工数を削減することができる。これは、例えば、列車又はバスの車両内における動画広告の配信データを更新する場合も同様である。
【０００３】
このような大容量の配信データを高速に無線通信するための手段として、ミリ波を用いた無線通信が注目されている。例えば、非特許文献１には、６０ＧＨｚ帯を用いたミリ波通信において、約２Ｇｂｐｓの実効速度の無線通信が可能であることが開示されている。また、非特許文献２には、ミリ波を用いた複数系統の無線リンクを同時に確立することにより、通信速度をさらに高める技術が開示されている。
【先行技術文献】
【非特許文献】
【０００４】
【非特許文献１】IEEE802.11ad-2012規格書, "Part 11: Wireless LAN Medium Access Control (MAC) and Physical Layer (PHY) Specifications", IEEE 2012年
【非特許文献２】Naoki Honma, Kentaro Nishimori, Tomohiro Seki, and Masato Mizoguchi, "Short Range MIMO Communication", IEEE European Conference on Antennas and Propagation, 2009年
【発明の概要】
【発明が解決しようとする課題】
【０００５】
このように、無線通信の速度が高速になる場合、送信装置と受信装置との間の無線通信区間よりも、送信装置内における、無線通信に至るまでの区間（例えば有線ＬＡＮの区間）の通信速度の方がボトルネックとなる。
【０００６】
本開示の非限定的な実施例は、送信装置と受信装置との間の無線通信区間の速度が当該無線通信に至るまでの通信区間の通信速度に律速されることを回避又は抑制し、配信データをより短時間で送信することができる送信装置及び送信方法の提供に資する。
【課題を解決するための手段】
【０００７】
本開示の一態様に係る送信装置は、受信装置と無線リンクを確立し、前記受信装置に配信データを送信するＮ個（Ｎは２以上の整数）の無線送信部と、前記Ｎ個の無線送信部に、それぞれ、１対１で接続するＮ個の送信バッファと、前記無線送信部が前記無線リンクを確立する前に、前記配信データの少なくとも一部を、前記Ｎ個の送信バッファのそれぞれに格納する分配制御部と、前記無線送信部が前記無線リンクを確立した後に、前記Ｎ個の無線送信部に対して、前記Ｎ個の送信バッファに格納された前記配信データの送信を指示する送信制御部と、を具備する。
【０００８】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【０００９】
本開示の一態様によれば、送信装置と受信装置との間の無線通信区間の速度が当該無線通信に至るまでの通信区間の通信速度に律速されることを回避又は抑制し、配信データをより短時間で送信することができる。
【００１０】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１１】
【図１】送信装置及び受信装置の構成例を示すブロック図
【図２】データ配信システムの構成の概要を示すブロック図
【図３】実施の形態１に係る送信装置及び受信装置の構成例を示すブロック図
【図４】実施の形態１に係る送信装置及び受信装置の動作例を示す図
【図５】実施の形態２に係る送信装置及び受信装置の構成例を示すブロック図
【図６】実施の形態２に係る配信データの重複分割の例を示す図
【図７】実施の形態３に係る送信装置及び受信装置の構成例を示すブロック図
【図８】実施の形態３に係る配信データの重み付け分割の例を示す図
【図９】本開示の実施の形態に係るハードウェア構成の例を示す図
【発明を実施するための形態】
【００１２】
図１の送信装置１０は、送信データ格納部１１と、Ｎ個（Ｎは２以上の整数。図１ではＮ＝４）の無線送信部１２Ａ、１２Ｂ、１２Ｃ、１２Ｄと、Ｎ本の送信アンテナ１３Ａ、１３Ｂ、１３Ｃ、１３Ｄと、を備える。無線送信部１２Ａ、１２Ｂ、１２Ｃ、１２Ｄは、それぞれ、Ｎ本の送信アンテナ１３Ａ、１３Ｂ、１３Ｃ、１３Ｄと、１対１で接続されている。
【００１３】
図１の受信装置２０は、受信データ格納部２１と、Ｎ個の無線受信部２２Ａ、２２Ｂ、２２Ｃ、２２Ｄと、Ｎ本の受信アンテナ２３Ａ、２３Ｂ、２３Ｃ、２３Ｄと、を備える。Ｎ個の無線受信部２２Ａ、２２Ｂ、２２Ｃ、２２Ｄは、それぞれ、Ｎ本の受信アンテナ２３Ａ、２３Ｂ、２３Ｃ、２３Ｄと、１対１で接続されている。
【００１４】
送信アンテナ１３Ａ、１３Ｂ、１３Ｃ、１３Ｄは、それぞれ、受信アンテナ２３Ａ、２３Ｂ、２３Ｃ、２３Ｄと、１対１で無線リンク３０Ａ、３０Ｂ、３０Ｃ、３０Ｄを確立する。
【００１５】
送信装置１０は、入力端子１４から入力された配信データ４０を、送信データ格納部１１に格納する。そして、送信データ格納部１１内の配信データ４０は、４系統に分配されて無線送信部１２Ａ、１２Ｂ、１２Ｃ、１２Ｄに入力され、無線送信部１２Ａ、１２Ｂ、１２Ｃ、１２Ｄは、それぞれ、送信アンテナ１３Ａ、１３Ｂ、１３Ｃ、１３Ｄから、４系統に分配された配信データ４０を送信する。
【００１６】
受信装置２０において、無線受信部２２Ａ、２２Ｂ、２２Ｃ、２２Ｄは、それぞれ、受信アンテナ２３Ａ、２３Ｂ、２３Ｃ、２３Ｄから４系統に分配された配信データ４０を受信し、受信データ格納部２１に格納して、配信データ４０を結合する。そして、受信装置２０は、受信データ格納部２１内の配信データ４０を、必要に応じて、出力端子２４から出力する。
【００１７】
ここで、送信データ格納部１１と無線送信部１２Ａ〜１２Ｄとを結ぶ有線ＬＡＮ１５の通信速度が、送信装置１０と受信装置２０とを結ぶ無線リンク３０Ａ〜３０Ｄの通信速度と比較して遅い場合、受信装置２０への配信データ４０の通信速度が、有線ＬＡＮ１５の通信速度に律速されてしまう。すなわち、送信装置１０と受信装置２０との間の無線リンク３０Ａ〜３０Ｄの通信速度が高速であっても、有線ＬＡＮ１５の通信速度がボトルネックとなり、受信装置２０へ配信データ４０を高速に（短時間で）無線送信することが困難である。
【００１８】
例えば、無線リンク３０Ａ〜３０Ｄのそれぞれの最大通信速度が２Ｇｂｐｓである場合、４系統の無線リンク３０Ａ〜３０Ｄを束ねた場合の通信速度は、最大８Ｇｂｐｓとなる。しかし、有線ＬＡＮ１５の最大通信速度が１Ｇｂｐｓである場合、配信データ４０の通信速度は、最大でも１Ｇｂｐｓに律速されてしまう。
【００１９】
そこで、開示者らは、配信データ４０の通信速度が、無線通信に至るまでの区間（有線ＬＡＮ１５）の通信速度に律速されることを回避すべく、検討を行った。
【００２０】
以下、図面を適宜参照して、本開示の実施の形態について、詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２１】
なお、添付図面および以下の説明は、当業者が本開示を十分に理解するために、提供されるのであって、これらにより特許請求の範囲に記載の主題を限定することは意図されていない。
【００２２】
また、同種の要素を区別して説明する場合には、「無線送信部１０３Ａ」、「無線送信部１０３Ｂ」のように参照符号を使用し、同種の要素を区別しないで説明する場合には、「無線送信部１０３」のように参照符号のうちの共通番号を使用することがある。
【００２３】
（実施の形態１）
＜データ配信システムの概要＞
まず、図２を参照しながら、実施の形態１に係るデータ配信システムの概要について説明する。
【００２４】
データ配信システムは、送信装置１００と、受信装置２００と、配信データサーバ３００と、制御局３０１と、を備える。配信データサーバ３００と、制御局３０１と、送信装置１００とは、インターネット網３０２に接続されている。制御局３０１は、配信データサーバ３００及び送信装置１００を制御して、配信データサーバ３００から送信装置１００に対して、インターネット網３０２を介して、配信データを送信することができる。送信装置１００は、受信装置２００に対して、無線通信により、配信データを送信することができる。
【００２５】
＜送信装置及び受信装置の構成＞
次に、図３を参照しながら、送信装置１００及び受信装置２００の構成について説明する。
【００２６】
送信装置１００は、送信データ格納部１０１と、Ｎ個（図２ではＮ＝４）の送信バッファ１０２Ａ、１０２Ｂ、１０２Ｃ、１０２Ｄと、Ｎ個の無線送信部１０３Ａ、１０３Ｂ、１０３Ｃ、１０３Ｄと、Ｎ本の送信アンテナ１０４Ａ、１０４Ｂ、１０４Ｃ、１０４Ｄと、分配制御部１０５と、送信制御部１０６と、を備える。
【００２７】
送信データ格納部１０１は、送信バッファ１０２Ａ、１０２Ｂ、１０２Ｃ、１０２Ｄと、有線ＬＡＮ１１１で接続する。送信バッファ１０２Ａ、１０２Ｂ、１０２Ｃ、１０２Ｄは、それぞれ、無線送信部１０３Ａ、１０３Ｂ、１０３Ｃ、１０３Ｄと、１対１で接続する。無線送信部１０３Ａ、１０３Ｂ、１０３Ｃ、１０３Ｄは、それぞれ、送信アンテナ１０４Ａ、１０４Ｂ、１０４Ｃ、１０４Ｄと、１対１で接続する。
【００２８】
送信データ格納部１０１には、配信データ３１０が、予め格納される。例えば、制御局３０１の指示により配信データサーバ３００から送信装置１００へ送信された配信データ３１０が、入力端子１１０を通じて送信データ格納部１０１に格納される。送信データ格納部１０１には、幾つかの配信データが予め格納されてよい。
【００２９】
無線送信部１０３Ａ、１０３Ｂ、１０３Ｃ、１０３Ｄは、それぞれ、送信アンテナ１０４Ａ、１０４Ｂ、１０４Ｃ、１０４Ｄを通じて、無線リンク４００Ａ、４００Ｂ、４００Ｃ、４００Ｄを、受信装置２００との間で確立する。この無線リンク通信には、通信速度の比較的高速なミリ波が用いられる。ミリ波を用いる無線通信方式には、例えば、WirelessHD、WiGig、IEEE802.11ad/ayがある。また、複数の無線リンク４００を確立することにより、この無線区間の通信速度がより高速になる。このような場合、この無線区間の通信速度が、送信データ格納部１０１と送信バッファ１０２との間の有線ＬＡＮ１１１の通信速度よりも高速となる。
【００３０】
また、無線送信部１０３Ａ、１０３Ｂ、１０３Ｃ、１０３Ｄは、それぞれ、送信制御部１０６からの指示に基づいて、送信バッファ１０２Ａ、１０２Ｂ、１０２Ｃ、１０２Ｄ内の配信データ３１０の少なくとも一部（例えば、送信装置１００全体として未送信のデータを選択）を、無線リンク４００Ａ、４００Ｂ、４００Ｃ、４００Ｄを通じて、受信装置２００へ送信する。
【００３１】
分配制御部１０５は、無線送信部１０３が無線リンク４００を確立する前に、送信データ格納部１０１内の配信データ３１０を、有線ＬＡＮ１１１を介して、送信バッファ１０２Ａ、１０２Ｂ、１０２Ｃ、１０２Ｄに分配及び格納する。送信バッファ１０２に分配及び格納されたデータを、分配データという場合がある。なお、送信データ格納部１０１及び分配制御部１０５が、送信装置１００内ではなく、サーバ装置に備えられ、当該サーバ装置と送信装置１００とが有線ＬＡＮ１１１で接続されている構成であってもよい。
【００３２】
送信制御部１０６は、無線送信部１０３が無線リンク４００を確立した後に、無線送信部１０３に対して、送信バッファ１０２内の分配データを送信するよう指示する。
【００３３】
受信装置２００は、受信データ格納部２０１と、Ｎ個の受信バッファ２０２Ａ、２０２Ｂ、２０２Ｃ、２０２Ｄと、Ｎ個の無線受信部２０３Ａ、２０３Ｂ、２０３Ｃ、２０３Ｄと、Ｎ本の受信アンテナ２０４Ａ、２０４Ｂ、２０４Ｃ、２０４Ｄと、受信制御部２０５と、を備える。
【００３４】
受信データ格納部２０１と、受信バッファ２０２Ａ、２０２Ｂ、２０２Ｃ、２０２Ｄは、有線ＬＡＮ２１１で接続されている。受信バッファ２０２Ａ、２０２Ｂ、２０２Ｃ、２０２Ｄは、それぞれ、無線受信部２０３Ａ、２０３Ｂ、２０３Ｃ、２０３Ｄと、１対１で接続する。無線受信部２０３Ａ、２０３Ｂ、２０３Ｃ、２０３Ｄは、それぞれ、受信アンテナ２０４Ａ、２０４Ｂ、２０４Ｃ、２０４Ｄと、１対１で接続する。なお、図３において、受信バッファ２０２Ａ、２０２Ｂ、２０２Ｃ、２０２Ｄの斜線部の位置が異なるのは、格納されるデータが異なることを示す。
【００３５】
無線受信部２０３Ａ、２０３Ｂ、２０３Ｃ、２０３Ｄは、それぞれ、受信アンテナ２０４Ａ、２０４Ｂ、２０４Ｃ、２０４Ｄを通じて、無線リンク４００Ａ、４００Ｂ、４００Ｃ、４００Ｄを、送信装置１００との間で確立する。
【００３６】
また、無線受信部２０３Ａ、２０３Ｂ、２０３Ｃ、２０３Ｄは、それぞれ、無線リンク４００Ａ、４００Ｂ、４００Ｃ、４００Ｄを通じて、送信装置１００から分配データを受信し、受信バッファ２０２Ａ、２０２Ｂ、２０２Ｃ、２０２Ｄに格納する。
【００３７】
受信制御部２０５は、受信バッファ２０２Ａ、２０２Ｂ、２０２Ｃ、２０２Ｄに格納された分配データを、有線ＬＡＮ２１１を介して、受信データ格納部２０１に送信し、結合及び格納する。これにより、受信データ格納部２０１には、配信データ３１０が格納される。受信データ格納部２０１に格納された配信データ３１０は、必要に応じて、出力端子２１０から出力される。
【００３８】
無線リンク４００を確立するための制御信号については、無線送信部１０３Ａ〜１０３Ｄの何れかが送信アンテナ１０４から受信アンテナ２０４へ送信しても良いし、無線受信部２０３Ａ〜２０３Ｄの何れかが受信アンテナ２０４から送信アンテナ１０４へ送信しても良い。
【００３９】
なお、図３では、送信バッファ１０２、無線送信部１０３、送信アンテナ１０４、受信バッファ２０２、無線受信部２０３、受信アンテナ２０４、無線リンク４００が、それぞれ４つの場合を示しているが、本実施の形態はこれに限られず、これらの数は、２つ以上（つまりＮ≧２）であればよい。また、無線通信には、異なる周波数チャネルが使用されてもよい。
【００４０】
また、有線ＬＡＮ１１１、２１１は、例えば、ＵＳＢやＰＣＩ  Ｅｘｐｒｅｓｓを用いた他の高速有線インターフェースであっても良い。
【００４１】
また、データの送信方向は、一方向に限定されない。例えば、２組の送信装置１００と受信装置２００とを組み合わせて、データの送信方向を双方向にしても良い。
【００４２】
また、送信データ格納部１０１、送信バッファ１０２、及び／又は、受信バッファ２０２に格納されたデータは、データの送信完了後に、必要に応じて消去されて良い。
【００４３】
＜データ配信装置の動作＞
次に、図３及び図４を参照しながら、空港に設置されている送信装置１００から、航空機に設置されている受信装置２００に対して、航空機内で視聴等される配信データ３１０を無線送信する例について説明する。なお、配信データ３１０は、航空機が空港に到着する前に、配信データサーバ３００から送信装置１００の送信データ格納部１０１に送信済みであるとする。
【００４４】
制御局３０１は、インターネット網３０２を介して、配信データ３１０の送信予約を、送信装置１００へ送信する（Ｓ１００）。
【００４５】
送信装置１００の分配制御部１０５は、Ｓ１００の配信データ３１０の送信予約を受信した場合、送信データ格納部１０１内の当該送信予約された配信データ３１０を複製し、その複製データを、有線ＬＡＮ１１１を介して、各送信バッファ１０２Ａ〜１０２Ｄに送信し、格納する（Ｓ１０１）。有線ＬＡＮ１１１の通信速度は、無線リンク４００の通信速度よりも遅いため、分配制御部１０５は、当該Ｓ１０１の処理を、航空機が空港に到着する前に実行しておく。
【００４６】
受信装置２００の受信制御部２０５は、航空機が着陸し、航空機に搭乗橋が接続された後、無線リンク接続要求を、送信装置１００へ送信する（Ｓ１０２）。無線リンク接続要求は、例えば、複数の受信アンテナ２０４Ａ〜２０４Ｄのうちの１つから送信される。
【００４７】
無線リンク接続要求を送受信した送信装置１００及び受信装置２００は、互いに制御パケットをやり取りし、複数系統の無線リンク４００Ａ〜４００Ｄを確立する（Ｓ１０３）。
【００４８】
次に、送信制御部１０６は、配信データ３１０の送信準備要求を、受信装置２００へ送信する（Ｓ１０４）。当該送信準備要求を受信した受信制御部２０５は、配信データ３１０の受信準備を行う。
【００４９】
次に、送信制御部１０６は、無線送信部１０３Ａ、１０３Ｂ、１０３Ｃ、１０３Ｄのそれぞれに対して、送信バッファ１０２Ａ、１０２Ｂ、１０２Ｃ、１０２Ｄ内の分配データ（複製データ）を送信するよう指示する（Ｓ１０５）。なお、送信制御部１０６は、受信バッファ２０２Ａ、２０２Ｂ、２０２Ｃ、２０２Ｄに格納されるデータが重複しないように、送信バッファ１０２Ａ、１０２Ｂ、１０２Ｃ、１０２Ｄから読み出すデータを調整する。
【００５０】
無線送信部１０３Ａ、１０３Ｂ、１０３Ｃ、１０３Ｄは、それぞれ、当該指示を受信すると、送信バッファ１０２Ａ、１０２Ｂ、１０２Ｃ、１０２Ｄから分配データ（複製データ）を読み出し、当該分配データを、無線リンク４００Ａ、４００Ｂ、４００Ｃ、４００Ｄを通じて送信する。
【００５１】
このように、無線送信部１０３Ａ、１０３Ｂ、１０３Ｃ、１０３Ｄは、それぞれ、分配データを送信バッファ１０２Ａ、１０２Ｂ、１０２Ｃ、１０２Ｃから読み出せるので、有線ＬＡＮ１１１の通信速度に律速されることなく、データを高速に無線送信することができる。なお、無線受信部２０３Ａ、２０３Ｂ、２０３Ｃ、２０３Ｄは、それぞれ、無線リンク４００Ａ、４００Ｂ、４００Ｃ、４００Ｄを介して受信した分配データを、受信バッファ２０２Ａ、２０２Ｂ、２０２Ｃ、２０２Ｄに格納する。
【００５２】
受信制御部２０５は、各無線受信部２０３が分配データを受信した後、各受信バッファ２０２内の分配データを、有線ＬＡＮ２１１を介して、受信データ格納部２０１に送信し、格納及び結合する（Ｓ４０５）。これにより、受信データ格納部２０１には、配信データ３１０が格納される。なお、この結合処理は、航空機の停泊時に限らず、航空機の離陸後に実行されても良い。
【００５３】
＜実施の形態１の変形例＞
次に、実施の形態１に係る変形例について説明する。
【００５４】
図４のＳ１０５の無線通信処理において、送信制御部１０６は、各無線送信部１０３に対して、送信バッファ１０２内の分配データのうち、未送信の部分のデータを送信するよう指示する。
【００５５】
例えば、無線送信部１０３Ａ、１０３Ｂ、１０３Ｃ、１０３Ｄの送信するデータが予め決められている場合、送信制御部１０６は、各無線送信部１０３の進捗状況を確認し、送信速度が速い無線送信部１０３に対して、他の無線送信部１０３の未送信の部分データを送信するように指示する。
【００５６】
これにより、送信装置１００は、複数系統の無線リンク４００を効率的に利用し、配信データ３１０をより短時間で受信装置２００に送信し終えることができる。例えば、送信装置１００は、大容量の配信データ３１０を、航空機が空港に停泊している限られた時間内に、航空機内の受信装置２００に無線送信し終えることができる。
【００５７】
＜実施の形態１の効果＞
実施の形態１では、送信装置１００は、無線リンク４００の確立前に、送信データ格納部１０１内の配信データ３１０の複製を、各送信バッファ１０２に分配しておく。そして、送信装置１００は、受信装置２００と複数の無線リンク４００を確立した後に、各送信バッファ１０２内の分配データ（複製データ）を、各無線リンク４００を通じて、受信装置２００へ無線送信する。
【００５８】
これにより、送信装置１００は、送信データ格納部１０１と送信バッファ１０２との間の通信速度に律速されること無く、配信データ３１０を受信装置２００へ高速に（短時間で）無線送信することができる。これは、航空機が空港に停泊している時間内、又は、列車が駅に停車している時間内等、所定の時間内に大容量の配信データ３１０を受信装置２００へ無線送信する必要がある場合に有用である。
【００５９】
（実施の形態２）
実施の形態２では、配信データ３１０を分割し、分割データのそれぞれを送信バッファ１０２に分配して無線送信する送信装置１００について説明する。なお、実施の形態２では、実施の形態１と異なる部分について説明し、実施の形態１と共通する部分についての説明を省略する。
【００６０】
＜配信データの分割＞
次に、図５及び図６を参照しながら、配信データ３１０の分割について説明する。
【００６１】
分配制御部１０５は、送信データ格納部１０１内の配信データ３１０を、４つの分割データに分割し、図５に示すように、それら４つの分割データを、それぞれ、送信バッファ１０２Ａ、１０２Ｂ、１０２Ｃ、１０２Ｄに格納する。なお、配信データ３１０の分割数は、無線リンク４００の系統数Ｎに対応する。つまり、図５の場合、無線リンク４００の系統数Ｎ＝４であるので、分配制御部１０５は、配信データ３１０を、４つの分割データに分割している。なお、図５において、送信バッファ１０２Ａ、１０２Ｂ、１０２Ｃ、１０２Ｄの斜線部の位置が異なるのは、格納されるデータが異なることを示す。
【００６２】
＜配信データの重複分割＞
分配制御部１０５は、図６に示すように、分割データ１２２に、他の分割データの一部と同じデータである重複データ１２３を付加してもよい。以下、重複データ１２３が付加された分割データ１２２を、重複分割データ１２４という場合がある。重複データ１２３の割合は、例えば、次のように決定される。
【００６３】
配信データ３１０全体に対する１つの分割データ１２２の割合がα％であるとする。この場合、当該分割データ１２２に付加する重複データ１２３の割合（以下「重複割合」という）は、０％から（１００−α）％の間で設定されてよい。すなわち、重複割合が０％の場合、分割データ１２２に重複データ１２３が付加されず、「重複分割データ＝分割データ」となる。つまり、送信バッファ１０２は、全て異なるデータとなる。
【００６４】
また、重複割合が（１００−α）％の場合、分割データ１２２に、配信データ３１０の当該分割データ１２２以外の全データが重複データ１２３として付加され、「重複分割データ＝配信データ」となる。つまり、送信バッファ１０２は、全て同じデータとなる。また、重複割合が１０％の場合、分割データ１２２に、配信データ３１０の当該分割データ１２２以外の１０％分の重複データ１２３が付加される。
【００６５】
重複割合は、無線リンク４００の通信速度のバラツキ（例えば分散）に応じて設定される。例えば、無線リンク４００の通信速度に１０％のバラツキが生じる場合、重複割合は「１０％」に設定される。これにより、無線リンク４００の通信速度のバラツキが比較的大きい場合、送信バッファ１０２には、重複割合の比較的大きい重複分割データ１２４が格納される。反対に、無線リンク４００の通信速度のバラツキが比較的小さい場合、送信バッファ１０２には、重複割合の比較的小さい重複分割データ１２４が格納される。なお、重複割合は、無線リンク４００のバラツキの予測値に応じて、予め設定される。ただし、重複割合は、無線リンク４００のバラツキの実測値に応じて、適宜設定又は変更されてもよい。
【００６６】
各無線送信部１０３は、送信バッファ１０２内の重複分割データ１２４を、無線リンク４００を通じて送信する。このとき、送信制御部１０６は、まず、無線送信部１０３に対して、送信バッファ１０２内の重複分割データ１２４のうち、未重複データ（つまり分割データ１２２に相当）を送信するよう指示する。次に、送信制御部１０６は、未重複データの送信を完了した無線送信部１０３に対して、重複データ１２３を送信するよう指示する。
【００６７】
これにより、或る無線リンク４００において通信速度が高速な方に偏重し、未重複データの送信が他の無線リンク４００よりも早く完了した場合に、重複データ１２３を無線送信することができる。よって、分割データ１２２に重複データ１２３を付加しない場合と比較して、配信データ３１０の無線送信に要する時間を短縮することができる。
【００６８】
なお、或る無線リンク４００において通信速度が低速な方に偏重した場合、他の無線リンク４００において重複分割データ１２４の送信が完了しても、当該或る無線リンク４００に対応する送信バッファ１０２に、未重複かつ未送信のデータが残るという状況が生じ得る。この場合、分配制御部１０５は、未重複かつ未送信のデータの少なくとも一部を、送信完了の送信バッファ１０２へ送信する。又は、分配制御部１０５は、送信データ格納部１０１から、未重複かつ未送信のデータの少なくとも一部を、送信完了の送信バッファ１０２へ送信する。そして、送信制御部１０６は、当該送信完了の無線送信部１０３に対して、当該送信バッファ１０２内の分配データを無線送信するよう指示する。
【００６９】
これにより、未重複かつ未送信のデータの少なくとも一部を送信完了の送信バッファ１０２へ送信するための時間を要するものの、送信装置１００は、各無線リンク４００を効率的に活用し、配信データ３１０の無線送信に要する時間を短縮することができる。
【００７０】
＜実施の形態２の効果＞
実施の形態２では、送信装置１００は、無線リンク４００の確立前に、送信データ格納部１０１内の配信データ３１０を分割し、それらの分割データ１２２を、各送信バッファ１０２に格納しておく。そして、送信装置１００は、受信装置２００と複数の無線リンク４００を確立した後に、各送信バッファ１０２内の分割データ１２２を、各無線リンク４００を通じて、受信装置２００へ無線送信する。
【００７１】
これにより、送信装置１００は、配信データ３１０の複製データを各送信バッファ１０２へ送信及び格納する場合と比較して、送信データ格納部１０１から各送信バッファ１０２へのデータ送信に要する時間を短縮することができる。また、各送信バッファ１０２の容量を小さくすることができる。
【００７２】
また、送信装置１００は、無線リンク４００の確立前に、分割データ１２２に重複データ１２３を付加し、それらの重複分割データ１２４を、各送信バッファ１０２に分配しておく。そして、送信装置１００は、受信装置２００と複数の無線リンク４００を確立した後、各送信バッファ１０２から、未重複データを優先して無線送信し、次に重複データ１２３を無線送信する。
【００７３】
これにより、送信装置１００は、或る無線リンク４００において通信速度のバラツキが高速な方に偏重し、未重複データの送信が他の無線リンク４００よりも早く完了した場合に、重複データ１２３を無線送信することができる。よって、送信装置１００は、分割データ１２２に重複データ１２３を付加しない場合と比較して、配信データ３１０の無線送信に要する時間を短縮することができる。
【００７４】
（実施の形態３）
実施の形態３では、無線リンク４００の通信速度に応じて、分割データ１２２の分割の割合に重みを付ける送信装置１００について説明する。なお、実施の形態３では、実施の形態２と異なる部分について説明し、実施の形態２と共通する部分についての説明を省略する。
【００７５】
＜配信データの重み付け分割＞
次に、図７及び図８を参照しながら、配信データ３１０の重み付け分割について説明する。
【００７６】
分配制御部１０５は、送信データ格納部１０１に格納されている配信データ３１０を、分割サイズに重みを付けて４つの分割データ１２５に分割し、それら分割データ１２５を、図７に示すように、送信バッファ１０２Ａ、１０２Ｂ、１０２Ｃ、１０２Ｄにそれぞれ格納する。なお、配信データ３１０の分割数は、図５と同様、無線リンク４００の系統数Ｎに対応する。以下、重みを付けて分割された分割データを、重み付け分割データ１２５という。
【００７７】
分配制御部１０５は、各無線リンク４００の通信速度に応じて、重み付けの大きさを決定する。無線リンク４００の通信速度は、事前に取得したハードウェアの実測結果、又は、前回の無線通信の結果に基づいて算出された推定値であってよい。例えば、分配制御部１０５は、各無線リンク４００の通信速度に比例するように、重み付けの大きさを決定する。次に具体例を説明する。
【００７８】
図７及び図８では、無線リンク４００Ａ、４００Ｂ、４００Ｃ、４００Ｄの通信速度の比率が、１：３：３：１である。分配制御部１０５は、図８に示すように、１：３：３：１の割合で分割サイズに重みを付けて、配信データ３１０を４つの重み付け分割データ１２５に分割し、これら４つの重み付け分割データ１２５を、それぞれ、送信バッファ１０２Ａ、１０２Ｂ、１０２Ｃ、１０２Ｄに分配する。なお、図７及び図８において、送信バッファ１０２Ａ、１０２Ｂ、１０２Ｃ、１０２Ｄの斜線部の位置が異なるのは、格納されるデータが異なることを示す。
【００７９】
これにより、送信装置１００は、通信速度の比較的速い無線リンク４００で、分割サイズの大きい重み付け分割データ１２５を無線送信し、通信速度の比較的遅い無線リンク４００で、分割サイズの小さい重み付け分割データ１２５を無線送信することができる。よって、送信装置１００は、配信データ３１０を同じ割合で分割した場合と比較して、配信データ３１０を受信装置２００に無線送信し終えるまでに要する時間を短縮することができる。
【００８０】
なお、分配制御部１０５は、重み付け分割データ１２５に、実施の形態２で説明したように、重複データ１２３を付加してもよい。
【００８１】
＜実施の形態３の効果＞
実施の形態３では、送信装置１００は、無線リンク４００の確立前に、送信データ格納部１０１内の配信データ３１０を、各無線リンク４００の通信速度に応じた割合で重みを付けて分割し、それらの重み付け分割データ１２５を、各送信バッファ１０２に分配しておく。そして、送信装置１００は、受信装置２００と複数の無線リンク４００を確立した後、各送信バッファ１０２内の重み付け分割データ１２５を、各無線リンク４００を通じて、受信装置２００へ無線送信する。
【００８２】
これにより、送信装置１００は、通信速度の比較的速い無線リンク４００で、分割サイズの大きい重み付け分割データ１２５を無線送信し、通信速度の比較的遅い無線リンク４００で、分割サイズの小さい重み付け分割データ１２５を無線送信することができる。よって、データ配信システムは、配信データ３１０を同じ割合で分割した場合と比較して、無線リンク４００の通信速度が互いに異なる場合において、配信データ３１０を無線送信し終えるまでに要する時間を短縮することができる。
【００８３】
以上、本開示に係る実施形態について図面を参照して詳述してきたが、上述した送信装置１００、受信装置２００、配信データサーバ３００、及び、制御局３０１の機能は、コンピュータプログラムにより実現され得る。
【００８４】
図９は、各装置の機能をプログラムにより実現するコンピュータのハードウェア構成を示す図である。このコンピュータ２１００は、キーボード又はマウス、タッチパッドなどの入力装置２１０１、ディスプレイ又はスピーカーなどの出力装置２１０２、ＣＰＵ（Central Processing Unit）２１０３、ＲＯＭ（Read Only Memory）２１０４、ＲＡＭ（Random Access Memory）２１０５、ハードディスク装置又はＳＳＤ（Solid State Drive）などの記憶装置２１０６、ＤＶＤ−ＲＯＭ（Digital Versatile Disk Read Only Memory）又はＵＳＢ（Universal Serial Bus）メモリなどの記録媒体から情報を読み取る読取装置２１０７、ネットワークを介して通信を行う送受信装置２１０８を備え、各部はバス２１０９により接続される。
【００８５】
そして、読取装置２１０７は、上記各装置の機能を実現するためのプログラムを記録した記録媒体からそのプログラムを読み取り、記憶装置２１０６に記憶させる。あるいは、送受信装置２１０８が、ネットワークに接続されたサーバ装置と通信を行い、サーバ装置からダウンロードした上記各装置の機能を実現するためのプログラムを記憶装置２１０６に記憶させる。
【００８６】
そして、ＣＰＵ２１０３が、記憶装置２１０６に記憶されたプログラムをＲＡＭ２１０５にコピーし、そのプログラムに含まれる命令をＲＡＭ２１０５から順次読み出して実行することにより、上記各装置の機能が実現される。
【００８７】
上記の実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００８８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）、又は、ＬＳＩ内部の回路セルの接続や設定を再構成可能なリコンフィギュラブル・プロセッサーを利用してもよい。
【００８９】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【００９０】
本開示は、配信データを無線送信する送信装置及び送信方法に適用することができる。
【符号の説明】
【００９１】
１００  送信装置
１０１  送信データ格納部
１０２Ａ、１０２Ｂ、１０２Ｃ、１０２Ｄ  送信バッファ
１０３Ａ、１０３Ｂ、１０３Ｃ、１０３Ｄ  無線送信部
１０４Ａ、１０４Ｂ、１０４Ｃ、１０４Ｄ  送信アンテナ
１０５  分配制御部
１０６  送信制御部
１１０  入力端子
２００  受信装置
２０１  受信データ格納部
２０２Ａ、２０２Ｂ、２０２Ｃ、２０２Ｄ  受信バッファ
２０３Ａ、２０３Ｂ、２０３Ｃ、２０３Ｄ  無線受信部
２０４Ａ、２０４Ｂ、２０４Ｃ、２０４Ｄ  受信アンテナ
２０５  受信制御部
２１０  出力端子
【図１】
2019054381.tif 000003
【図２】
2019054381.tif 000004
【図３】
2019054381.tif 000005
【図４】
2019054381.tif 000006
【図５】
2019054381.tif 000007
【図６】
2019054381.tif 000008
【図７】
2019054381.tif 000009
【図８】
2019054381.tif 000010
【図９】
2019054381.tif 000011